(57)【特許請求の範囲】
【請求項１】
容器本体と、この容器本体内において装填される、供給リールギアに一体に軸着される未使用の転写テープを巻回する供給リールと、この供給リールから供給される未使用の転写テープを、塗布のために転写ヘッドで保持しつつ、使用済みの転写テープを供給リールギアに噛合する巻取りリールギアと同軸上の巻取りリールに再び巻回、収容してなる転写テープ供給、巻取り機構から構成される塗布具において、上記容器本体の開口部から突出して固持される転写ヘッドを、未使用の転写テープが転写ヘッド先端の舌片部に供給されるため走行する下面部、及び使用済みの転写テープが巻取りリールに巻回、収容されるため走行する上面部からなるものとした上で、この転写ヘッドの上面部及び下面部の両側にガイドを立設すると共に、上記転写ヘッドのガイドを、下面部においては互いにガイドが平行となるように並設し、かつ、その上面部においては、互いのガイドをガイド断面が上方に向かって幅狭化するようにアンダーカット形状としてなる塗布具の転写ヘッド。
【発明の詳細な説明】
【０００１】
【発明の属する技術分野】
この発明は、転写テープ表面の修正塗料や接着剤を被転写面に密着、転写することにより、被転写物の表面に塗布する塗布具の転写ヘッドに関する。
【０００２】
【従来の技術】
従来、転写テープ表面の修正塗料や接着剤を被転写面に密着、転写することにより、被転写物の表面に塗布する塗布具の転写ヘッドは、製造コストの低減や塗布具全体の軽量化、及び製造工程での作業性の向上を目的として、樹脂により一体に成形されるものが一般的であり、その形状も未使用の転写テープが走行する上面部及び使用済みの転写テープが走行する下面部から構成されると共に、上記転写ヘッドの上面部及び下面部の両側において、走行する転写テープの左右への揺動を防止して、使用時において転写テープが転写ヘッドから離脱しないように互いに平行となるようにガイドを並設してなるものである。
【０００３】
【発明が解決しようとする課題】
しかしながら、上記従来の塗布具の転写ヘッドでは、その形状が転写テープが走行する転写ヘッドの上面部及び下面部の両側において、走行する転写テープの左右への揺動を防止して、使用時において転写テープが転写ヘッドから離脱しないように互いに平行となるようにガイドを並設してなるものであるが、この転写ヘッドの上面部及び下面部の両側に互いに平行となるように並設されるガイドによって、この転写ヘッドを金型内において樹脂により一体に成形加工して製造しようとする場合には、成形品である樹脂製の転写ヘッドが金型内においてまちまちに付着することとなって、この転写ヘッドを金型内から取り出そうとする場合の作業性が低下する欠点がある。
【０００４】
また、転写ヘッドにおいて転写テープが走行する上面部及び下面部の両側に立設されるガイドは、互いに平行となるように並設されるものであるが、確かにこの互いに平行となるように立設されるガイドの幅をある程度まで狭めることにより上記転写ヘッドの上面部及び下面部を走行する転写テープの左右方向への揺動を防ぎ、転写ヘッドからの転写テープの離脱を防止することができるものとなるが、その反面転写ヘッドの上、下面部に対して垂直方向への変動に対しては塗布具を構成する容器本体の開口部の大きさとの兼ね合いからガイド高を一定以上に高くすることができないため、転写ヘッドの上、下面部に対する垂直方向への転写テープの揺動を確実に防いで、転写ヘッドから転写テープが離脱してしまわないようにすることが困難なものとなる。
【０００５】
そこで、この発明は上記従来のものの持つ欠点等を改善するものであり、転写ヘッド製造時における作業性を向上させると共に、塗布具使用時における転写テープの転写ヘッドからの離脱を防止して、迅速且つ確実な塗布作業を行えるようにするものである。
【０００６】
【課題を解決するための手段】
そのために、容器本体と、この容器本体内において装填される、供給リールギアに一体に軸着される未使用の転写テープを巻回する供給リールと、この供給リールから供給される未使用の転写テープを、塗布のために転写ヘッドで保持しつつ、使用済みの転写テープを供給リールギアに噛合する巻取りリールギアと同軸上の巻取りリールに再び巻回、収容してなる転写テープ供給、巻取り機構から構成される塗布具において、上記容器本体の開口部から突出して固持される転写ヘッドを、未使用の転写テープが転写ヘッド先端の下面に湾曲する舌片部に供給されるため走行する下面部、及び使用済みの転写テープが巻取りリールに巻回、収容されるため走行する上面部からなるものとした上で、この転写ヘッドの上面部及び下面部の両側にガイドを立設すると共に、上記転写ヘッドのガイドを、下面部においては互いにガイドが平行となるように並設しつつ、その上面部においては、互いのガイドをガイド断面形状を上方に向かって幅狭化するようにアンダーカット形状としてなるものである。
【０００７】
【発明の実施の形態】
この発明の実施にあたり、転写ヘッドの転写テープが走行する上面部及び下面部の両側に立設されるガイドのうち、使用済みの転写テープが走行するガイドを、ガイド断面が先端に向かって幅狭化するようにアンダーカット形状とすることにより、この転写ヘッドを金型内において成形加工して製造使用とする場合には、この金型内から成形品である転写ヘッドを取り出そうとするとき、常に成形品の転写ヘッドは、このガイド断面を上方に向かって幅狭化するようにアンダーカット形状としたため、転写ヘッドの上面部側を成形する金型に付着するものとなり、転写ヘッドの製造作業者は成形品である転写ヘッドの取り外し作業を、転写ヘッドの上面部を成形する金型側に集中することでその作業性を向上させることができると共に、転写ヘッドにおいて使用済みの転写テープが走行する上面部においては、その両側に立設されるガイドが上方に向かって幅狭化するようにアンダーカット形状としているので上面部を走行する使用済みテープの左右方向のみならず上下方向への揺動をも確実に防げるので、円滑な転写テープ上の修正塗料及び接着剤の塗布作業を行うことができるものである。
【０００８】
【実施例】
この発明を図に示す実施例により更に説明する。（１）はこの発明の実施例である横びき型式の塗布具であり、この塗布具（１）は、容器本体（２）と、この容器本体（２）内において装填される、供給リールギア（６）に一体に軸着される未使用の転写テープ（７）を巻回する供給リール（５）と、この供給リール（５）から供給される未使用の転写テープ（７）を、修正塗料又は接着剤の塗布のために、容器本体（２）の開口部（３）より外に突出して固持される転写ヘッド（１１）で保持しつつ、使用済みの転写テープ（１０）を供給リールギア（６）に噛合する巻取りリールギア（９）と同軸上の巻取りリール（８）に再び巻回、収容してなる転写テープ供給、巻取り機構（４）から構成される。なお、図１においては横びき型式（把持して左右方向にテープ面を移動させる型式）の塗布具を記載しているが、これは縦びき型式の塗布具（把持して上下方向に移動させるもの）としてもよいものである。
【０００９】
そして、上記容器本体（２）の開口部（３）から突出して固持される転写ヘッド（１１）を、未使用の転写テープ（７）が転写ヘッド（１１）先端で下面に湾曲する舌片部（１３）に供給されるため走行する下面部（１２）、及び使用済みの転写テープ（１０）が巻取りリール（８）に巻回、収容されるために走行する上面部（１４）からなるものとした上で、この転写ヘッド（１１）の上面部（１４）及び下面部（１２）の両側にガイド（１５）を立設すると共に、上記転写ヘッド（１１）のガイド（１５）を、下面部（１２）においては互いにガイド（１５’）（１５’）が平行となるように並設し、その上面部（１４）においては、互いのガイド（１５”）（１５”）がガイド断面が上方に向かって幅狭化するようにアンダーカット形状としてなるものである。
【００１０】
この発明の実施例である塗布具（１）は以上の構成を具えるので、この発明の実施例である塗布具（１）の転写ヘッド（１１）を製造するにあたっては、金型内に樹脂を充填することにより成形加工するものであるため、この塗布具（１）の転写ヘッド（１１）において、未使用或は使用済みの転写テープ（７）（１０）が走行する上面部（１４）及び下面部（１２）の両側に立設されるガイド（１５）のうち、使用済みの転写テープ（１０）が走行する上面部（１４）のガイド（１５”）を互いに、ガイド断面が上方に向かって幅狭化するようにアンダーカット形状とすることにより、金型内での成形加工後に、成形品である転写ヘッド（１１）を金型内から取り出そうとする時には、常に成形品の転写ヘッド（１１）は、このガイド断面を上方に向かって幅狭化するようにアンダーカット形状とした転写ヘッド（１１）の上面部（１４）側が成形する金型に対して付着するものとなるので、製造作業者は、常に転写ヘッド（１１）を成形加工する金型の一方のみに転写ヘッド（１１）の取り外し作業を集中することで、転写ヘッド（１１）の製造作業の作業性を著しく向上させることができる。
【００１１】
また、この発明の実施例である塗布具（１）の転写ヘッド（１１）においては、使用済みの転写テープ（１０）が走行することとなる転写ヘッド（１１）の上面部（１４）は、その両側に立設されるガイド（１５”）（１５”）が、互いに先端に向かって幅狭化するようにアンダーカット形状としているので、この転写ヘッド（１１）の上面部（１４）を走行することとなる使用済みテープ（１０）に対しては、使用済みの転写テープ（１０）が転写ヘッド（１１）先端の舌片部（１３）から巻取りリール（８）に向かって走行する際に発生する左右方向への揺動のみならず上下方向への揺動をも確実に防げることとなるので、使用済みの転写テープ（１０）を巻取りリール（８）に巻回、収容刷ることができるものとなって、この塗布具（１）の使用者は、被転写物の表面に対して転写テープ（７）上の修正塗料及び接着剤の塗布作業を迅速且つ確実に行うことができるものである。
【００１２】
【発明の効果】
以上のとおり構成されるから、転写ヘッドの成形加工時における成形品である転写ヘッドの金型への付着を一方に集中させることができるため、転写ヘッドの取り外し作業の作業性を著しく向上させることができると共に、使用済みの転写テープの上下左右方向への揺動を抑制できるため、円滑な使用済み転写テープの巻取りリールへの巻回、収容が可能となって、転写テープ上の修正塗料又は接着剤の塗布作業を迅速且つ確実に行うことができるようになる優れた効果を有するものである。
【図面の簡単な説明】
【図１】この発明の実施例である塗布具の分解正面図である。
【図２】この発明の実施例である塗布具の転写ヘッドのＡ−Ａ拡大断面図である。
【符号の説明】
１  塗布具
２  容器本体
３  開口部
４  転写テープ供給、巻取り機構
５  供給リール
６  供給リールギア
７  （未使用の）転写テープ
８  巻取りリール
９  巻取りリールギア
１０  使用済みの転写テープ
１１  転写ヘッド
１２  下面部
１３  舌片部
１４  上面部
１５、１５’、１５”  ガイド
【図１】
0003716379.tif 000002
【図２】
0003716379.tif 000003